(57)【特許請求の範囲】
【請求項１】
無線送信回路と、送信コイルと、制御回路と、を備え
前記送信コイルは、複数対のジョイントを備え、各対のジョイントによって限定されるコイルの巻数は異なり、
前記制御回路は、複数対のジョイントから前記無線送信回路に電気的に接続される一対のジョイントを選択するために用いられ、
前記制御回路は、前記無線充電装置の充電モードに基づいて、複数対のジョイントから前記無線送信回路に電気的に接続される一対のジョイントを選択し、
前記充電モードは第一無線充電モード又は第二無線充電モードを備え、前記無線充電装置が前記第一無線充電モードで被充電機器を充電する充電速度は、前記無線充電装置が前記第二無線充電モードで前記被充電機器を充電する充電速度よりも速く、
前記無線充電装置が前記第一無線充電モードで前記被充電機器を充電する場合、前記制御回路は、複数対のジョイントのうちの第一対のジョイントが前記無線送信回路に電気的に接続されるように制御することにより、前記無線送信回路は第一対のジョイントによって限定されるコイルを介して無線充電信号を送信し、
前記無線充電装置が前記第二無線充電モードで前記被充電機器を充電する場合、前記制御回路は、複数対のジョイントのうちの第二対のジョイントが前記無線送信回路に電気的に接続されるように制御することにより、前記無線送信回路は第二対のジョイントによって限定されるコイルを介して無線充電信号を送信し、
前記第一対のジョイントによって限定されるコイルの巻数は、前記第二対のジョイントによって限定されるコイルの巻数よりも小さい、
ことを特徴とする無線充電装置。
【請求項２】
前記無線充電装置は電圧変換回路をさらに備え、
前記電圧変換回路は、入力電圧を受信し、前記入力電圧を変換して、前記無線送信回路の入力電圧及び入力電流を取得するために用いられ、
前記制御回路は、さらに、前記無線充電中に前記被充電機器と無線通信して、前記無線送信回路の送信電力を調整することにより、前記無線送信回路の送信電力が前記被充電機器のバッテリの現在の必要とする充電電圧及び/又は充電電流と一致するようにするために用いられる、
ことを特徴とする請求項１に記載の無線充電装置。
【請求項３】
前記無線充電装置は充電インターフェースをさらに備え、
前記充電インターフェースは電源装置に接続するために用いられ、前記電圧変換回路の入力電圧は、前記電源装置が前記充電インターフェースを介して提供する電圧であり、  前記制御回路は、さらに、前記電源装置と通信して、前記電源装置の出力電圧及び/又は出力電流を調整することにより、前記無線送信回路の送信電力を調整するために用いられる、
ことを特徴とする請求項２に記載の無線充電装置。
【請求項４】
前記無線充電装置は電源供給回路をさらに備え、
前記電源供給回路は、外部から入力された交流電流を受信し、前記交流電流に応じて前記電源供給回路の出力電圧及び出力電流を生成するために用いられ、前記電圧変換回路の入力電圧は前記電源供給回路の出力電圧である、
ことを特徴とする請求項２に記載の無線充電装置。
【請求項５】
受信コイルと、無線受信回路と、制御回路と、を備え、
前記受信コイルは、複数対のジョイントを備え、各対のジョイントによって限定されるコイルの巻数は異なり、
前記制御回路は、複数対のジョイントから前記無線受信回路に電気的に接続される一対のジョイントを選択するために用いられ、
前記被充電機器は、第一充電チャネル及び検出回路をさらに備え、
前記第一充電チャネルには降圧回路が設けられており、前記降圧回路は、前記無線受信回路の出力電圧を受信し、前記無線受信回路の出力電圧に対して降圧処理を行って、前記第一充電チャネルの出力電圧及び出力電流を獲得するために用いられ、且つ前記第一充電チャネルの出力電圧及び出力電流に基づいて前記被充電機器のバッテリを充電し、
前記検出回路は、前記第一充電チャンネルの電圧及び/又は電流を検出するために用いられ、
前記制御回路は、さらに、前記第一充電チャネルの出力電圧及び/又は出力電流が前記バッテリの現在必要とする充電電圧及び/又は充電電流と一致するように、前記検出回路によって検出された前記第一充電チャネルの電圧及び又は電流に応じて無線充電装置と無線通信することにより、前記無線充電装置の送信電力を調整するために用いられる、
ことを特徴とする被充電機器。
【請求項６】
前記被充電機器は、第二充電チャンネルをさらに備え、
前記第二充電チャンネルには変換回路を設置されており、前記変換回路は、前記無線受信回路の出力電圧及び出力電流を受信し、前記無線受信回路の出力電圧及び/又は出力電流に対して定電圧及び/又は定電流制御を行って、前記第二充電チャンネルの出力電圧及び/又は出力電流が前記バッテリの現在必要とする充電電圧及び/又は充電電流と一致することにするために用いられ、且つ前記第二充電チャンネルの出力電圧及び/又は出力電流に基づいて前記バッテリを充電する、
ことを特徴とする請求項５に記載の被充電機器。
【請求項７】
前記制御回路は、前記被充電機器が使用する前記バッテリを充電する充電チャネルに基づいて、複数対のジョイントから前記無線受信回路に電気的に接続される一対のジョイントを選択し、前記充電チャネルは第一充電チャネル又は第二充電チャネルである、
ことを特徴とする請求項６に記載の被充電機器。
【請求項８】
前記被充電装置が前記第一充電チャネルを介して前記バッテリを充電する場合、前記制御回路は複数対のジョイントのうちの第一対のジョイントが前記無線受信回路に電気的に接続されるように制御することにより、前記無線受信回路は第一対のジョイントによって限定されるコイルを介して無線充電信号を受信し、
前記被充電装置が前記第二充電チャネルを介して前記バッテリを充電する場合、前記制御回路は複数対のジョイントのうちの第二対のジョイントが前記無線受信回路に電気的に接続されるように制御することにより、前記無線受信回路は第二対のジョイントによって限定されるコイルを介して無線充電信号を受信し、
前記第一対のジョイントによって限定されるコイルの巻数は、前記第二対のジョイントによって限定されるコイルの巻数よりも小さい、
ことを特徴とする請求項７に記載の被充電機器。
【請求項９】
前記バッテリは互いに直列に接続された複数のセルを含み、Ｎは１より大きい正整数である、
ことを特徴とする請求項５に記載の被充電機器。
【請求項１０】
無線充電装置の制御方法であって、
前記無線充電装置は、無線送信回路及び送信コイルを備え、
前記送信コイルは、複数対のジョイントを備え、各対のジョイントによって限定されるコイルの巻数は異なり、
前記制御方法は、
前記無線充電装置が使用する被充電機器を充電する充電モードに基づいて、複数対のジョイントから前記無線送信回路に電気的に接続される一対のジョイントを選択することを備え、
前記無線充電装置が使用する被充電機器を充電する充電モードに基づいて、複数対のジョイントから前記無線送信回路に電気的に接続される一対のジョイントを選択することは、
前記無線充電装置が前記第一無線充電モードで前記被充電機器を充電する場合、複数対のジョイントのうちの第一対のジョイントが前記無線送信回路に電気的に接続されるように制御することにより、前記無線送信回路は第一対のジョイントによって限定されるコイルを介して無線充電信号を送信すること、
前記無線充電装置が前記第二無線充電モードで前記被充電機器を充電する場合、複数対のジョイントのうちの第二対のジョイントが前記無線送信回路に電気的に接続されるように制御することにより、前記無線送信回路は第二対のジョイントによって限定されるコイルを介して無線充電信号を送信すること、を備え、
前記無線充電装置が前記第一無線充電モードで被充電機器を充電する充電速度は、前記無線充電装置が前記第二無線充電モードで前記被充電機器を充電する充電速度よりも速く、
前記第一対のジョイントによって限定されるコイルの巻数は、前記第二対のジョイントによって限定されるコイルの巻数よりも小さい、
ことを特徴とする無線充電装置の制御方法。
【請求項１１】
無線充電中に前記被充電機器と無線通信して、前記無線送信回路の送信電力を調整することにより、前記無線送信回路の送信電力が前記被充電機器のバッテリの現在必要とする充電電圧及び/又は充電電流と一致するようにすることをさらに備える、
ことを特徴とする請求項１０に記載の無線充電装置の制御方法。
【請求項１２】
被充電機器の制御方法であって、
前記被充電機器は、受信コイル及び無線受信回路を備え、
前記受信コイルは、複数対のジョイントを備え、各対のジョイントによって限定されるコイルの巻数は異なり、
前記制御方法は、前記被充電機器が使用するバッテリを充電する充電チャネルに基づいて、複数対のジョイントから前記無線受信回路に電気的に接続される一対のジョイントを選択することを備え、
前記被充電機器が使用するバッテリを充電する充電チャネルに基づいて、複数対のジョイントから前記無線受信回路に電気的に接続される一対のジョイントを選択することは、
前記被充電装置が前記第一充電チャネルを介して前記バッテリを充電する場合、複数対のジョイントのうちの第一対のジョイントが前記無線受信回路に電気的に接続されるように制御することにより、前記無線受信回路は第一対のジョイントによって限定されるコイルを介して無線充電信号を受信すること、
前記被充電装置が前記第二充電チャネルを介して前記バッテリを充電する場合、複数対のジョイントのうちの第二対のジョイントが前記無線受信回路に電気的に接続されるように制御することにより、前記無線受信回路は第二対のジョイントによって限定されるコイルを介して無線充電信号を受信すること、を備え、
前記第一対のジョイントによって限定されるコイルの巻数は、前記第二対のジョイントによって限定されるコイルの巻数よりも小さい、
ことを特徴とする被充電機器の制御方法。
【請求項１３】
前記第一充電チャネルには降圧回路が設けられており、
前記制御方法は、
前記降圧回路によって前記無線受信回路の出力電圧を受信し、前記無線受信回路の出力電圧に対して降圧処理を行って、前記第一充電チャネルの出力電圧及び出力電流を獲得し、且つ前記第一充電チャネルの出力電圧及び出力電流に基づいて前記被充電機器のバッテリを充電することをさらに備える、
ことを特徴とする請求項１２に記載の被充電機器の制御方法。
【請求項１４】
前記制御方法は、
前記第一充電チャンネルの電圧及び/又は電流を検出すること、
前記第一充電チャネルの出力電圧及び/又は出力電流が前記バッテリの現在必要とする充電電圧及び/又は充電電流と一致するように、検出された前記第一充電チャネルの電圧及び又は電流に応じて無線充電装置と無線通信することにより、前記無線充電装置の送信電力を調整すること、
をさらに備える、
ことを特徴とする請求項１２に記載の被充電機器の制御方法。
【請求項１５】
前記第二充電チャンネルには変換回路が設置されており、
前記制御方法は、
前記変換回路によって前記無線受信回路の出力電圧及び出力電流を受信し、前記無線受信回路の出力電圧及び/又は出力電流に対して定電圧及び/又は定電流制御を行って、前記第二充電チャンネルの出力電圧及び/又は出力電流が前記バッテリの現在必要とする充電電圧及び/又は充電電流と一致することにし、且つ前記第二充電チャンネルの出力電圧及び/又は出力電流に基づいて前記バッテリを充電することをさらに備える、
ことを特徴とする請求項１２に記載の被充電機器の制御方法。
【発明の詳細な説明】
【関連出願の相互参照】
【０００１】
本願は、２０１７年４月７日に中国特許庁に出願された、出願番号がＰＣＴ/ＣＮ２０１７/０７９７８４であり、発明の名称が「無線充電システム、装置、方法及び被充電機器」であるＰＣＴ出願、及び２０１７年４月１３日に中国特許庁に出願された、出願番号ＰＣＴ /ＣＮ２０１７ / ０８０３３４であり、発明の名称が「被充電機器及び充電方法」であるＰＣＴ出願の優先権を主張し、その全文は引用により本願に組み込まれる。
【技術分野】
【０００２】
本発明は、無線充電の分野に関し、さらに具体的に、無線充電装置、被充電機器及びその制御方法に関する。
【背景技術】
【０００３】
無線充電技術の普及に伴って、無線充電機能を支持する電子装置はだんだん多くなる。
【０００４】
無線充電過程において、無線充電装置（無線充電ベースなど）は、通常、送信コイルによって無線充電信号（電磁信号）を送信する。
【０００５】
従来の送信コイルはマルチターンコイルで巻かれてなる。しかし、従来の送信コイルの設計方法は単一であるので、無線充電過程の柔軟性が十分ではない。
【発明の概要】
【発明が解決しようとする課題】
【０００６】
これに鑑みて、本発明は無線充電装置、被充電機器及びその制御方法を提供し、無線充電過程の柔軟性を向上させる。
【課題を解決するための手段】
【０００７】
第一態様において、無線充電装置が提供される。無線充電装置は、無線送信回路と、送信コイルと、制御回路と、を備える。送信コイルは、複数対のジョイントを備え、各対のジョイントによって限定されるコイルの巻数は異なる。制御回路は、複数対のジョイントから無線送信回路に電気的に接続される一対のジョイントを選択するために用いられる。
【０００８】
第二態様において、本発明は被充電機器を提供する。被充電機器は、受信コイルと、無線受信回路と、制御回路と、を備える。受信コイルは、複数対のジョイントを備え、各対のジョイントによって限定されるコイルの巻数は異なる。制御回路は、複数対のジョイントから無線受信回路に電気的に接続される一対のジョイントを選択するために用いられる。
【０００９】
第三態様において、無線充電装置の制御方法を提供する。無線充電装置は、無線送信回路及び送信コイルを備える。送信コイルは、複数対のジョイントを備え、各対のジョイントによって限定されるコイルの巻数は異なる。この制御方法は、前記無線充電装置が使用する被充電機器を充電する充電モードに基づいて、複数対のジョイントから無線送信回路に電気的に接続される一対のジョイントを選択することを備える。
【００１０】
第四態様において、被充電機器の制御方法を提供する。被充電機器は、受信コイル及び無線受信回路を備える。受信コイルは、複数対のジョイントを備え、各対のジョイントによって限定されるコイルの巻数は異なる。この制御方法は、前記被充電機器が使用するバッテリを充電する充電チャネルに基づいて、複数対のジョイントから無線受信回路に電気的に接続される一対のジョイントを選択することを備える。
【００１１】
本願によって提供される送信コイルは複数対のジョイントを備え、制御回路は実際の需要によって複数対のジョイントから選択したり切り替えたりすることができ、無線充電過程の柔軟性を向上させる。
【図面の簡単な説明】
【００１２】
【図１】本発明の一実施形態に係わる無線充電装置の構造を示す図である。
【図２】本発明の実施形態に係わる送信コイルの構造を示す図である。
【図３】本発明の別の実施態様に係わる無線充電装置の構造を示す図である。
【図４】本発明のさらに別の実施態様に係わる無線充電装置の構造を示す図である。
【図５】本発明の一実施形態に係わる被充電機器の構造を示す図であるである。
【図６】本発明の別の実施形態に係わる被充電機器の構造を示す図であるである。
【図７】本発明の実施形態に係わる無線充電装置の制御方法を示すフローチャートである。
【図８】本発明の実施形態に係わる被充電機器の制御方法を示すフローチャートである。
【発明を実施するための形態】
【００１３】
本発明の実施形態に係わる無線充電装置１０は、無線充電ベース又はシステムオンチップであることができる。以下、図１を参照して、本発明の実施形態に係わる無線充電装置１０を詳細に説明する。
【００１４】
図１に示されたように、無線充電装置１０は、無線送信回路１２、送信コイル１４及び制御回路１６を備えることができる。以下、無線充電装置１０内部の構成要素の形態及び機能について詳細に説明する。
【００１５】
無線送信回路１２は、送信コイル１４を介して無線充電信号を送信することができる。具体的には、無線送信回路１２は、高周波発振回路を含むことができる。無線送信回路１２は、高周波発振回路に基づいて高周波発振信号を生成し、送信コイル１４を介して外部に送信して、無線充電信号を形成することができる。
【００１６】
送信コイル１４は、複数対のジョイントを備え（送信コイル１４の特定の位置から引き出されたワイヤによってジョイントを形成することができる）、各対のジョイントによって限定されるコイルの巻数は異なる。送信コイル１４におけるジョイントの特定の位置は、実際の需要に応じて柔軟に設定することができる。例えば、ジョイントは、送信コイル１４の以下の位置の中の１つ又は複数の位置に位置することができる：開始位置、終了位置、及び開始位置と終了位置との間の任意の位置である。送信コイル１４の複数対のジョイントのそれぞれは、特定の巻数を有するコイルを限定することができる。一対のジョイントによって限定されるコイルは、一対のジョイントにおいて、一方のジョイントを開始位置として、他方のジョイントを終了位置とするコイルを指す。
【００１７】
本発明の実施形態は、送信コイル１４に含まれるジョイントの対数を具体的に限定しない。例えば、２対のジョイントを備えてもよく、又は３対以上のジョイントを備えてもよい。
【００１８】
図２は、送信コイルの可能な設計方式を示している。図２に示されたように、送信コイル１４は、３つのジョイント、即ち図２に示されたジョイント１、ジョイント２、及びジョイント３を備える。ジョイント２は、送信コイル１４の開始位置（又は最奥の位置）に位置する。ジョイント１は、送信コイル１４の終了位置（又は最外の位置）に位置する。ジョイント３は、送信コイル１４の中間位置（即ち、開始位置と終了位置との間の位置）に位置する。
【００１９】
図２に示されたように、送信コイル１４は、２対のジョイント、即ちジョイント２とジョイント３によって形成された一対のジョイント（以下、「第一対のジョイント」という）、及びジョイント１とジョイント２によって形成された一対のジョイント（以下、「第二対のジョイント」という）を備える。送信コイル１４がＮターンコイルで巻かれてなることを例とすると（Ｎは１より大きい正整数である）、ジョイント１は送信コイル１４の最外の位置に位置し、ジョイント２は送信コイル１４の最奥の位置に位置するので、ジョイント１及びジョイント２は、Ｎターンコイル（即ち、送信コイル１４のあらゆるコイル）を限定する。ジョイント３は送信コイル１４の中間位置に位置するので、ジョイント２及びジョイント３によって限定されるコイルの巻数はＮより小さい。
【００２０】
制御回路１６は、複数対のジョイントから無線送信回路１２に電気的に接続される一対のジョイントを選択するために用いられる。無線送信回路１２は複数対のジョイントの中のある一対のジョイントに電気的に接続されると、無線送信回路１２はそれに電気的に接続されたこの一対のジョイントによって限定されるコイルを介して外部に無線充電信号を送信する。依然として、図２を例とすると、無線送信回路１２は第二対のジョイント（ジョイント１とジョイント２を含む）に電気的に接続されると、無線送信回路１２は送信コイル１４全体（Ｎターンコイルを含む）を介して外部に無線充電信号を送信し、無線送信回路１２は第一対のジョイント（ジョイント２とジョイント３を含む）に電気的に接続されると、無線送信回路１２はジョイント２とジョイント３の間に位置する送信コイル（Ｎターン未満）を介して外部に無線充電信号を送信する。
【００２１】
上記の制御機能を実現できる限り、本発明の実施形態は制御回路１６の形態を具体的に限定しない。一例として、制御回路１６は、マイクロコントローラーユニット（ｍｉｃｒｏｃｏｎｔｒｏｌｌｅｒ  ｕｎｉｔ，ＭＣＵ）及びスイッチ回路を備えることができる。スイッチ回路は、ＭＣＵの制御下で異なる各対のジョイントを切り替える。
【００２２】
本発明の実施形態は、制御回路１６が複数対のジョイントから無線送信回路１２に電気的に接続される一対のジョイントを選択する方式を特に限定しない。例えば、制御回路１６は先ず限定されたコイルの巻数が多い一対のジョイントを選択して動作し、もし無線送信装置１０によって生成された熱が大き過ぎる場合、制御回路１６は限定されたコイルの巻数が少ない一対のジョイントを選択して動作することにより、動作過程の発熱量を低減する。
【００２３】
本発明の実施形態によって提供される送信コイル１４は複数対のジョイントを含み、制御回路１６は実際の需要によって複数対のジョイントから選択したり切り替えたりすることができ、無線充電過程の柔軟性を向上させる。
【００２４】
以下、実施可能なジョイント選択方法を詳細に説明する。
【００２５】
先ず、無線充電装置１０は第一無線充電モード又は第二無線充電モードで動作可能である。無線充電装置１０が第一無線充電モードで被充電機器を充電する充電速度は、無線充電装置１０が第二無線充電モードで被充電機器を充電する充電速度よりも速い。
【００２６】
換言すると、第二無線充電モードで動作する無線充電装置１０と比較して、第一無線充電モードで動作する無線充電装置１０によって被充電機器３０内の同じ容量のバッテリを完全に充電することに必要とする時間はさらに短い。  
【００２７】
第二無線充電モードは、通常の無線充電モードと呼ばれ、例えば、ＱＩ規格、ＰＭＡ（ｐｏｗｅｒ  ｍａｔｔｅｒｓ  ａｌｌｉａｎｃｅ）規格又はＡ４ＷＰ（ａｌｌｉａｎｃｅ  ｆｏｒ  ｗｉｒｅｌｅｓｓ  ｐｏｗｅｒ）規格に基づく従来の無線充電モードであることができる。第一無線充電モードは急速無線充電モードであることができる。通常の無線充電モードは、無線充電装置１０の送信電力がより小さい（通常１５Ｗ未満、送信電力はほとんど５Ｗ又は１０Ｗである）無線充電モードを指すことができる。通常の無線充電モードにおいて、大容量のバッテリ（例えば、３０００ｍＡバッテリである）を完全に充電するためには通常数時間かかる。急速無線充電モードにおいて、無線充電装置１０の送信電力がより大きい（通常、１５Ｗ以上である）。通常の無線充電モードと比較して、急速無線充電モードにおいて、無線充電装置１０が同じ容量のバッテリを完全に充電することに必要とする時間は大幅に短縮され、充電速度はさらに速い。
【００２８】
無線充電装置１０が第一無線充電モードで被充電機器を充電する場合、制御回路１６は複数対のジョイントのうちの第一対のジョイントが無線送信回路１２に電気的に接続されるように制御することにより、無線送信回路１２は第一対のジョイントによって限定されるコイルを介して無線充電信号を送信する。無線充電装置１０が第二無線充電モードで被充電機器を充電する場合、制御回路１６は複数対のジョイントのうちの第二対のジョイントが無線送信回路１２に電気的に接続されるように制御することにより、無線送信回路１２は第二対のジョイントによって限定されるコイルを介して無線充電信号を送信する。第一対のジョイントによって限定されるコイルの巻数は、第二対のジョイントによって限定されるコイルの巻数よりも小さい。
【００２９】
一例として、送信コイル１４は図２に示された送信コイルである。第二対のジョイントはジョイント１及びジョイント２に対応し、それは送信コイル１４の全てのコイルを限定する。第一対のジョイントはジョイント２及びジョイント３に対応し、それは送信コイル１４の一部分のコイルを限定する。無線充電装置１０が第二無線充電モードで被充電機器を充電する場合、制御回路１６はジョイント１及びジョイント２が無線送信回路１２に電気的に接続されるように制御することができ、送信コイル１４全体が動作状態にあることにする。無線充電装置１０が第一無線充電モードで被充電機器を充電する場合、制御回路１６はジョイント２及びジョイント３が無線送信回路１２に電気的に接続されるように制御することができ、送信コイル１４の一部分のコイルが動作状態にあることにする。
【００３０】
一対のジョイントによって限定されるコイルの巻数が多ければ多いほど、コイルのインピーダンスが大きくなる可能性がある。無線充電装置１０が第一無線充電モードで動作する場合、第一無線充電モードでの無線充電装置１０の充電速度は速いので、動作状態にある送信コイルのインピーダンスが大きいと、送信コイルの発熱現象は非常に深刻になる。送信コイルの発熱量を低減するために、無線充電装置１０が第一無線充電モードにある場合、本発明の実施形態は第一対のジョイントが動作するように制御することにより、動作状態にある送信コイルのインピーダンスと発熱量（コイルの巻数が少ないことによるインダクタンスの減少は、送信電圧を高める方式で補償することができる）を低減する。無線充電装置１０が第二無線充電モードにある場合、本発明の実施形態は第二対のジョイントが動作するように制御する。
【００３１】
無線充電装置１０は、無線送信回路１２、送信コイル１４及び制御回路１６に加えて、実際の需要に応じて他の機能を有する回路をさらに備えることができ、本発明の実施形態はこれに対して特に限定しない。以下、図３〜図４を参照して、無線充電装置１０のいくつかの可能な実装形態を詳細に説明する。
【００３２】
図３に示されたように、無線充電装置１０は電圧変換回路１８をさらに備えることができる。
【００３３】
電圧変換回路１８は、入力電圧を受信し、入力電圧を変換して、無線送信回路１２の入力電圧及び入力電流を取得するために用いられる。制御回路１６は、さらに、無線充電中に被充電機器と無線通信して、無線送信回路１２の送信電力を調整することにより、無線送信回路１２の送信電力が被充電機器のバッテリの現在の必要とする充電電圧及び/又は充電電流と一致するようにするために用いられる。
【００３４】
電圧変換回路１８を設置することにより、無線充電装置１０は実際の需要に応じて無線送信回路１２が受信する電圧を調整することができる。例えば、無線充電装置１０は高電圧低電流方式を採用してエネルギーを伝送することを望む場合、このようなエネルギー伝送方式は無線送信回路１２の入力電圧（例えば、１０Ｖ又はは２０Ｖである）に対する要求が高く、もし外部の電源装置の最大出力電圧が無線送信回路１２の入力電圧要求に達することはできない場合、電圧変換回路１８の設置は、無線送信回路１２の入力電圧要求に達することはできない入力電圧が所望の入力電圧に達することにする。もちろん、代替案として、外部の電源装置の出力電圧が無線送信回路１２の入力電圧要求に達することができる場合、電圧変換回路１８を省略することもでき、従って無線充電装置１０を簡素化することができる。
【００３５】
図４に示されたように、無線充電装置１０は充電インターフェース１３をさらに備えることができる。充電インターフェース１３は、外部の電源装置２０に接続するために用いられる。上述した電圧変換回路１８の入力電圧は、電源装置２０が充電インターフェース１３を介して提供する電圧であることができる。本実施形態において、制御回路１６は、さらに、電源装置２０と通信して、電源装置２０の出力電圧及び/又は出力電流を調整することにより、無線送信回路１２の送信電力を調整するために用いられる。
【００３６】
選択的に、充電インターフェース１３はＵＳＢインターフェースであることができる。本発明は、充電インターフェース１３のタイプを具体的に限定しない。選択的に、いくつかの実施形態において、充電インターフェース１３はＵＳＢインターフェースであることができる。ＵＳＢインターフェースは、例えば、ＵＳＢ２．０インターフェース、マイクロＵＳＢインターフェース、又はＵＳＢ ＴＹＰＥ−Ｃインターフェースであることができる。選択的に、他のいくつかの実施形態では、充電インターフェース１３はｌｉｇｈｔｎｉｎｇインターフェース、又は他のいかなるタイプの充電用パラレルインターフェース及び/又はシリアルインターフェースであることができる。
【００３７】
本発明の実施形態は制御回路１６と電源装置２０との間の通信方式に対して具体的に制限しない。一実施形態において、制御回路１６は、充電インターフェース以外の別の通信インターフェースによって電源装置２０に接続され、且つこの通信インターフェースによって電源装置２０と通信することができる。他の実施形態において、制御回路１６は、無線方式で電源装置２０と通信することができる。例えば、制御回路１６は電源装置２０と近距離無線通信（ｎｅａｒ ｆｉｅｌｄ ｃｏｍｍｕｎｉｃａｔｉｏｎ，ＮＦＣ）を行うことができる。さらに別の実施形態において、制御回路１６は充電インタフェース１３によって電源装置２０と通信することができ、追加の通信インタフェース又は他の無線通信モジュールを設置することを必要としなく、無線充電装置１０を簡素化することができる。例えば、充電インタフェース１３はＵＳＢインタフェースであり、制御回路１６はＵＳＢインターフェースのデータ線（Ｄ＋線及び/又はＤ−線など）によって電源装置２０と通信することができる。別の例において、充電インターフェース１３は、電力供給（ｐｏｗｅｒ ｄｅｌｉｖｅｒｙ，ＰＤ）通信プロトコルを支持するＵＳＢインターフェース（ＵＳＢ ＴＹＰＥ−Ｃインターフェースなど）であることができる。制御回路１６はＰＤ通信プロトコルに基づいて電源装置２０と通信することができる。
【００３８】
図３に示された無線充電装置１０は、外部の電源装置２０から充電電力を受け取る。図３の実施形態と異なり、図４の実施形態は、電源装置２０の機能を無線充電装置１０の内部に統合することにより、無線充電に必要とするデバイスの数を減少し、無線充電装置１０の統合度を向上させる。
【００３９】
上述したように、本発明の実施形態に係わる無線充電装置を詳細に説明した。以下、具体的な実施形態と結合して、本発明の実施形態に係わる被充電機器を詳しく説明する。
【００４０】
本発明の実施形態において、被充電機器はシステムオンチップ又は端末であることができる。この「端末」は、有線回線によって接続される装置及び/又は無線インタフェースを介して通信信号を受信/送信する装置であることができるが、それに限定されるものではない。有線回線は、例えば、公衆交換電話網（ｐｕｂｌｉｃ ｓｗｉｔｃｈｅｄ ｔｅｌｅｐｈｏｎｅ ｎｅｔｗｏｒｋ, ＰＳＴＮ）、デジタル加入者線（ｄｉｇｉｔａｌ ｓｕｂｓｃｒｉｂｅｒ ｌｉｎｅ, ＤＳＬ）、デジタルケーブル、直接接続ケーブル、及び/又は他のデータ接続ライン又はネットワーク接続ラインであることができる。無線インターフェースは、例えば、セルラーネットワーク、無線ローカルエリアネットワーク（ｗｉｒｅｌｅｓｓ ｌｏｃａｌ ａｒｅａ ｎｅｔｗｏｒｋ，ＷＬＡＮ）、デジタルビデオ放送ハンドヘルド（ｄｉｇｉｔａｌ ｖｉｄｅｏ ｂｒｏａｄｃａｓｔｉｎｇ ｈａｎｄｈｅｌｄ，ＤＶＢ-Ｈ）ネットワークのようなデジタルテレビネットワーク、衛星ネットワーク、振幅変調周波数変調（ａｍｐｌｉｔｕｄｅ ｍｏｄｕｌａｔｉｏｎ-ｆｒｅｑｕｅｎｃｙ ｍｏｄｕｌａｔｉｏｎ, ＡＭ−ＦＭ）放送送信機、及び/又は他の通信端末と通信することであることができる。無線インタフェースを介して通信するように構成された端末は、「無線通信端末」、「無線端末」、及び/又は「移動端末」と呼ぶことができる。移動端末の例としては、衛星又はセルラー電話、パーソナル通信システム（ｐｅｒｓｏｎａｌ ｃｏｍｍｕｎｉｃａｔｉｏｎ ｓｙｓｔｅｍ，ＰＣＳ）端末（セルラー無線電話とデータ処理、ファックス及びデータ通信能力を組み合わせることができる）、パーソナルデジタルアシスタント（Ｐｅｒｓｏｎａ  Ｄｉｇｉｔａｌ Ａｓｓｉｓｔａｎｔ, ＰＤＡ）（無線電話（ｒａｄｉｏ ｔｅｌｅｐｈｏｎｅ）、ページャ（ｐａｇｅｒ）、インターネット/イントラネットアクセス（Ｉｎｔｅｒｎｅｔ/Ｉｎｔｒａｎｅｔ ａｃｃｅｓｓ）、ウェブブラウジング（ｗｅｂ ｂｒｏｗｓｉｎｇ）、ノートブック（ｎｏｔｅｂｏｏｋ）、カレンダー（ｃａｌｅｎｄａｒ）及び/又は全地球測位システム（ｇｌｏｂａｌ ｐｏｓｉｔｉｏｎｉｎｇ ｓｙｓｔｅｍ, ＧＰＳ）受信機を備えることができる）及び/又は通常のラップトップ型又はハンドヘルド受信機、又は無線電話機能を備えた他の電子デバイスを備えるが、それに限定されるものではない。また、本発明の実施形態において、被充電機器又は端末は、パワーバンク（ｐｏｗｅｒ ｂａｎｋ）を備えることができる。このパワーバンクは、無線充電装置によって充電されることができ、従って他の電子装置に電力を供給するためにエネルギーを蓄積することができる。
【００４１】
図５に示されたように、本発明の実施形態に係わる被充電機器３０は、受信コイル３２、無線受信回路３４及び制御回路３６を備えることができる。
【００４２】
受信コイル３２は、無線充電装置から送信する無線充電信号を受信するために用いられる。 受信コイル３２は、複数対のジョイントを備え、各対のジョイントによって限定されるコイルの巻数は異なる。受電コイル３２の特定の位置から引き出されたワイヤによってジョイントを形成することができる。受電コイル３２におけるジョイントの特定の位置は、実際の需要に応じて柔軟に設定することができる。例えば、ジョイントは、受信コイル３２の以下の位置の中の１つ又は複数の位置に位置することができる：開始位置、終了位置、及び開始位置と終了位置との間の任意の位置である。受信コイル３２の複数対のジョイントのそれぞれは、特定の巻数を有するコイルを限定することができる。一対のジョイントによって限定されるコイルは、一対のジョイントにおいて、一方のジョイントを開始位置として、他方のジョイントを終了位置とするコイルを指す。
【００４３】
本発明の実施形態は、受信コイル３２に含まれるジョイントの対数を具体的に限定しない。例えば、２対のジョイントを備えてもよく、又は３対以上のジョイントを備えてもよい。
【００４４】
受信コイル３２は図２に示された設計方式を採用することができる。図２に示されたように、受信コイル３２は、３つのジョイント、即ち図２に示されたジョイント１、ジョイント２、及びジョイント３を備える。ジョイント２は、受信コイル３２の開始位置（又は最奥の位置）に位置する。ジョイント１は、受信コイル３２の終了位置（又は最外の位置）に位置する。ジョイント３は、受信コイル３２の中間位置（即ち、開始位置と終了位置との間の位置）に位置する。
【００４５】
図２に示されたように、受信コイル３２は、２対のジョイント、即ちジョイント２とジョイント３によって形成された一対のジョイント（以下、「第一対のジョイント」という）、及びジョイント１とジョイント２によって形成された一対のジョイント（以下、「第二対のジョイント」という）を備える。受信コイル３２がＮターンコイルで巻かれてなることを例とすると（Ｎは１より大きい正整数である）、ジョイント１は受信コイル３２の最外の位置に位置し、ジョイント２は受信コイル３２の最奥の位置に位置するので、ジョイント１及びジョイント２は、Ｎターンコイル（即ち、受信コイル３２のあらゆるコイル）を限定する。ジョイント３は受信コイル３２の中間位置に位置するので、ジョイント２及びジョイント３によって限定されるコイルの巻数はＮより小さい。
【００４６】
無線受信回路３４は、受信コイル３２によって受信された無線充電信号を無線受信回路３４の出力電圧及び出力電流に変換するために用いられる。無線受信回路３４は、整流回路及び/又はフィルタリング回路のような整形回路を備えることができる。
【００４７】
制御回路３６は、複数対のジョイントから無線受信回路３４に電気的に接続される一対のジョイントを選択するために用いられる。無線受信回路３４は複数対のジョイントの中のある一対のジョイントに電気的に接続されると、無線受信回路３４はそれに電気的に接続されたこの一対のジョイントによって限定されるコイルを介して無線充電信号を受信する。依然として、図２を例とすると、無線受信回路３４は第二対のジョイント（ジョイント１とジョイント２を含む）に電気的に接続されると、無線受信回路３４は受信コイル３２全体（Ｎターンコイルを含む）を介して無線充電信号を受信し、無線受信回路３４は第一対のジョイント（ジョイント２とジョイント３を含む）に電気的に接続されると、無線受信回路３４はジョイント２とジョイント３の間に位置する受信コイル（Ｎターン未満）を介して無線充電信号を受信する。
【００４８】
上記の制御機能を実現できる限り、本発明の実施形態は制御回路３６の形態を具体的に限定しない。一例として、制御回路３６は、マイクロコントローラーユニット（ｍｉｃｒｏｃｏｎｔｒｏｌｌｅｒ  ｕｎｉｔ，ＭＣＵ）及びスイッチ回路を備えることができる。スイッチ回路は、ＭＣＵの制御下で異なる各対のジョイントを切り替える。
【００４９】
本発明の実施形態は、制御回路３６が複数対のジョイントから無線受信回路３４に電気的に接続される一対のジョイントを選択する方式を特に限定しない。例えば、制御回路３６は先ず限定されたコイルの巻数が多い一対のジョイントを選択して動作し、もし被充電機器３０によって生成された熱が大き過ぎる場合、制御回路３６は限定されたコイルの巻数が少ない一対のジョイントを選択して動作することにより、動作過程の発熱量を低減する。
【００５０】
本発明の実施形態によって提供される受信コイル３２は複数対のジョイントを含み、制御回路３６は実際の需要によって複数対のジョイントから選択したり切り替えたりすることができ、無線充電過程の柔軟性を向上させる。
【００５１】
以下、実施可能なジョイント選択方法を詳細に説明する。
【００５２】
先ず、図６に示されたように、被充電機器３０は、第一充電チャネル３１及び検出回路３３をさらに備えることができる。第一充電チャネル３１に降圧回路３１２を設けることができる。降圧回路３１２は、Ｂｕｃｋ回路又はチャージポンプであることができる。第一充電チャネル３１には降圧回路が設けられていなくてもよい。降圧回路３１２は、無線受信回路３４の出力電圧を受信し、無線受信回路３４の出力電圧に対して降圧処理を行って、第一充電チャネル３１の出力電圧及び出力電流を獲得するために用いられ、第一充電チャネル３１の出力電圧及び出力電流に基づいて被充電機器３０のバッテリ３５を充電する。
【００５３】
検出回路３３は、第一充電チャンネル３１の電圧及び/又は電流を検出するために用いられる。
【００５４】
制御回路３６は、第一充電チャネル３１の出力電圧及び/又は出力電流がバッテリ３５の現在必要とする充電電圧及び/又は充電電流と一致するように、検出回路３３によって検出された第一充電チャネル３１の電圧及び又は電流に応じて無線充電装置と無線通信することにより、無線充電装置の送信電力を調整するために用いられる。
【００５５】
選択的に、図６に示されたように、被充電機器３０は、第二充電チャンネル３７をさらに備えることができる。第二充電チャンネル３７に変換回路３７２を設置することができる。変換回路３７２は、無線受信回路３４の出力電圧及び出力電流を受信し、無線受信回路３４の出力電圧及び/又は出力電流に対して定電圧及び/又は定電流制御を行って、第二充電チャンネル３７の出力電圧及び/又は出力電流がバッテリ３５の現在必要とする充電電圧及び/又は充電電流と一致することにするために用いられ、且つ第二充電チャンネル３７の出力電圧及び/又は出力電流に基づいてバッテリ３５（単一のセルを含むことができ、互いに直列に接続された複数のセルを含むこともできる）を充電する。
【００５６】
被充電装置３０が第一充電チャネル３１を介してバッテリ３５を充電する場合、制御回路３６は複数対のジョイントのうちの第一対のジョイントが無線受信回路３４に電気的に接続されるように制御することにより、無線受信回路３４は第一対のジョイントによって限定されるコイルを介して無線充電信号を受信する。被充電装置３０が第二充電チャネル３７を介してバッテリ３５を充電する場合、制御回路３６は複数対のジョイントのうちの第二対のジョイントが無線受信回路３４に電気的に接続されるように制御することにより、無線受信回路３４は第二対のジョイントによって限定されるコイルを介して無線充電信号を受信する。第一対のジョイントによって限定されるコイルの巻数は、第二対のジョイントによって限定されるコイルの巻数よりも小さい。
【００５７】
一例として、受信コイル３２は図２に示された受信コイル３２である。第二対のジョイントはジョイント１及びジョイント２に対応し、それは受信コイル３２の全てのコイルを限定する。第一対のジョイントはジョイント２及びジョイント３に対応し、それは受信コイル３２の一部分のコイルを限定する。被充電装置３０が第二充電チャネル３７を介してバッテリ３５を充電する場合、制御回路３６はジョイント１及びジョイント２が無線受信回路３４に電気的に接続されるように制御することができ、受信コイル３２全体が動作状態にあることにする。被充電装置３０が第一充電チャネル３１を介してバッテリ３５を充電する場合、制御回路３６はジョイント２及びジョイント３が無線受信回路３４に電気的に接続されるように制御することができ、受信コイル３２の一部分のコイルが動作状態にあることにする。
【００５８】
上記の第一充電チャネル３１及び第二充電チャネル３７は、上述した無線充電装置の無線充電モードに対応することができる。例えば、無線充電装置１０が第一無線充電モードで無線充電する場合、被充電装置３０が第一充電チャネル３１を介してバッテリ３５を充電することができる。無線充電装置１０が第二無線充電モードで無線充電する場合、被充電装置３０が第二充電チャネル３７を介してバッテリ３５を充電することができる。
【００５９】
本発明の実施形態において、制御回路３６は、使用される充電チャネルに基づいて異なる各対のジョイントを切り替えることにより、無線充電の柔軟性を向上させることができる。
【００６０】
制御回路３６と無線充電装置は、ブルートゥース（ｂｌｕｅｔｏｏｔｈ）、無線忠実度（ｗｉｒｅｌｅｓｓ ｆｉｄｅｌｉｔｙ，Ｗｉ − Ｆｉ）、又は後方散乱（ｂａｃｋｓｃａｔｔｅｒ）変調（又は電力負荷変調）に基づいて互いに無線通信を行うことができ、本発明の実施形態はこれに対して制限しない。
【００６１】
上述したように、図１〜図６を参照して、本願の装置の実施形態を詳細に説明した。以下、図７〜図８を参照して、本願の方法の実施形態を詳細に説明する。方法の実施形態は装置の実施形態と互いに対応するので、詳細に説明しなかった部分は上述した装置の実施形を参照することができる。
【００６２】
図７は、本発明の実施形態に係わる無線充電装置の制御方法を示すフローチャートである。無線充電装置は上述した無線充電装置１０であることができる。無線充電装置は、無線送信回路及び送信コイルを備えることができる。送信コイルは、複数対のジョイントを備え、各対のジョイントによって限定されるコイルの巻数は異なる。
【００６３】
図７の制御方法は、ステップＳ７１０を備える。ステップＳ７１０において、複数対のジョイントから無線送信回路に電気的に接続される一対のジョイントを選択する。
【００６４】
選択的に、無線充電装置は第一無線充電モード又は第二無線充電モードで動作可能である。無線充電装置が第一無線充電モードで被充電機器を充電する充電速度は、無線充電装置が第二無線充電モードで被充電機器を充電する充電速度よりも速い。
【００６５】
本実施形態において、ステップＳ７１０は、無線充電装置が第一無線充電モードで被充電機器を充電する場合、複数対のジョイントのうちの第一対のジョイントが無線送信回路に電気的に接続されるように制御することにより、無線送信回路は第一対のジョイントによって限定されるコイルを介して無線充電信号を送信すること、無線充電装置が第二無線充電モードで被充電機器を充電する場合、複数対のジョイントのうちの第二対のジョイントが無線送信回路に電気的に接続されるように制御することにより、無線送信回路は第二対のジョイントによって限定されるコイルを介して無線充電信号を送信すること、を備えることができ、その中において、第一対のジョイントによって限定されるコイルの巻数は、第二対のジョイントによって限定されるコイルの巻数よりも小さい。
【００６６】
図８は、本発明の実施形態に係わる被充電機器の制御方法を示すフローチャートである。被充電機器は上述した被充電機器３０であることができる。被充電機器３０は、受信コイル及び無線受信回路を備えることができる。受信コイルは、複数対のジョイントを備え、各対のジョイントによって限定されるコイルの巻数は異なる。
【００６７】
図８の制御方法は、ステップＳ８１０を備える。ステップＳ８１０において、複数対のジョイントから無線受信回路に電気的に接続される一対のジョイントを選択する。
【００６８】
選択的に、被充電機器は、第一充電チャネルをさらに備えることができる。第一充電チャネルには降圧回路が設けられている。降圧回路は、無線受信回路の出力電圧を受信し、無線受信回路の出力電圧に対して降圧処理を行って、第一充電チャネルの出力電圧及び出力電流を獲得するために用いられ、且つ第一充電チャネルの出力電圧及び出力電流に基づいて被充電機器のバッテリを充電する。
【００６９】
図８の制御方法は、第一充電チャネルの電圧及び/又は電流を検出すること、第一充電チャネルの出力電圧及び/又は出力電流がバッテリの現在必要とする充電電圧及び/又は充電電流と一致するように、検出された第一充電チャネルの電圧及び又は電流に応じて無線充電装置と無線通信することにより、無線充電装置の送信電力を調整すること、をさらに備えることができる。
【００７０】
選択的に、被充電機器は、第二充電チャンネルをさらに備えることができる。第二充電チャンネルには、変換回路が設置されている。変換回路は、無線受信回路の出力電圧及び出力電流を受信し、無線受信回路の出力電圧及び/又は出力電流に対して定電圧及び/又は定電流制御を行って、第二充電チャンネルの出力電圧及び/又は出力電流がバッテリの現在必要とする充電電圧及び/又は充電電流と一致することにするために用いられ、且つ第二充電チャンネルの出力電圧及び/又は出力電流に基づいてバッテリを充電する。
【００７１】
上述したステップＳ８１０は、被充電装置が第一充電チャネルを介してバッテリを充電する場合、複数対のジョイントのうちの第一対のジョイントが無線受信回路に電気的に接続されるように制御することにより、無線受信回路は第一対のジョイントによって限定されるコイルを介して無線充電信号を受信すること、被充電装置が第二充電チャネルを介してバッテリを充電する場合、複数対のジョイントのうちの第二対のジョイントが無線受信回路に電気的に接続されるように制御することにより、無線受信回路は第二対のジョイントによって限定されるコイルを介して無線充電信号を受信すること、を備えることができ、その中において、第一対のジョイントによって限定されるコイルの巻数は、第二対のジョイントによって限定されるコイルの巻数よりも小さい。
【００７２】
選択的に、降圧回路は、Ｂｕｃｋ回路又はチャージポンプである。
【００７３】
選択的に、被充電装置と無線充電装置は、ブルートゥース、無線忠実度、又は後方散乱変調に基づいて互いに無線通信を行う。
【００７４】
留意されたいことは、衝突がないかぎり、本願に記載された各実施例及び/又は各実施例の技術的特徴は任意に互いに組み合わせることができ、組み合わせた後に得られる技術的方案も本願の保護範囲内にあるべきである。
【００７５】
上述した実施形態において、全部又は一部はソフトウェア、ハードウェア、ファームウェア（ｆｉｒｍｗａｒｅ）、又は任意の他の組み合わせによって実現することができる。ソフトウェアによって実現する場合、全部又は一部は、コンピュータプログラム製品の形式で実現することができる。コンピュータプログラム製品は、１つ又は複数のコンピュータ命令を含む。コンピュータにコンピュータプログラム命令をアップロードして実行される場合、本発明の実装形態のプロセス又は機能の全部または一部が実行される。コンピュータは、汎用コンピュータ、専用コンピュータ、コンピュータネットワーク、又は他のプログラム可能な装置であることができる。コンピュータ命令は、コンピュータ可読記憶媒体に記憶することができ、又は１つのコンピュータ可読記憶媒体から別のコンピュータ可読記憶媒体に送信することができる。例えば、コンピュータ命令は、有線（例えば、同軸ケーブル、光ファイバ、デジタル加入者線（ｄｉｇｉｔａｌ ｓｕｂｓｃｒｉｂｅｒ ｌｉｎｅ, ＤＳＬ）である）又は無線（赤外線、無線、マイクロ波などである）方式によって、あるウェブサイト、コンピュータ、サーバ、又はデータセンタから別のウェブサイト、コンピュータ、サーバ、又はデータセンタに送信することができる。コンピュータ可読記憶媒体は、コンピュータがアクセスすることができる任意の利用可能な媒体、又は１つ又は複数の利用可能な媒体統合を含むサーバ、データセンタなどのデータ記憶装置であることができる。使用可能な媒体は、磁気媒体（例えば、ソフトディスク、ハードディスク、磁気テープである）、光学媒体（例えば、デジタルビデオディスク（ｄｉｇｉｔａｌ ｖｉｄｅｏ ｄｉｓｃ，ＤＶＤ）である）、又は半導体媒体（例えば、ソリッドステートディスク（ｓｏｌｉｄ ｓｔａｔｅ ｄｉｓｋ，ＳＳＤ）である）などであることができる。
【００７６】
本願に開示された実施例に基づいて記載される各例示のユニット及びアルゴリズムステップは、電子ハードウェア、又はコンピュータープログラムと電子ハードウェアとの組み合わせにより実現され得ることは、当業者とって明らかである。これらの機能は、ハードウェアにより実行されるか又はソフトウェアにより実行されるかについて、技術方案の特定の応用場合や設計の制限条件などによって決められる。当業者は、特定応用ごとに異なる方法を使用して記載される機能を実現できるが、これらの実現は、本発明の範囲を超えると見なされるべきではない。
【００７７】
本願によって提供される幾つかの実施形態において、開示されるシステム、装置及び方法は、他の形態により実現され得ると理解されるべきである。例えば、上記に説明された装置の実施例は、例示するためのものに過ぎない。例えば、ユニットの分割は、ロジック機能の分割に過ぎず、実際に実現するときに別の分割形態を有してもよい。例えば、複数のユニット又は部品を組み合わせ、又は別のシステムに集積し、又は若干の特徴を無視し、又は実行しなくてもよい。さらに、図示又は検討する相互間の結合や直接結合や通信接続は、いくつかのインタフェース、装置、又はユニットの間接結合や通信接続であってもよく、電気、機械や他の形態であってもよい。
【００７８】
分離部品として記載されたユニットは、物理的に分離してもよいし、分離しなくてもよい。ユニットとして表示される部品は、物理的なユニットであってもよいし、物理的なユニットではなくておもよい。即ち、一つの箇所に設置してもよいし、複数のネットワークユニットに設置してもよい。実際の要求に応じて一部又は全部のユニットを選択して本実施例の技術方案の目的を実現することができる。
【００７９】
また、本発明に係る各実施例の各機能ユニットは、１つの処理ユニットに集積されてもよいし、物理的に分離された複数のユニットとして存在してもよいし、２つ以上のユニットは１つのユニットに集積してもよい。
【００８０】
上述したのは、ただ本願の具体的な実施形態であり、本願の保護範囲はこれに限定されるものではない。当業者であれば、本願に開示された技術範囲内で変更又は置換を容易に想到しうることであり、全て本出願の範囲内に含まれるべきである。従って本願の保護範囲は特許請求の範囲によって決めるべきである。
【図１】
0006952127.tif 000002
【図２】
0006952127.tif 000003
【図３】
0006952127.tif 000004
【図４】
0006952127.tif 000005
【図５】
0006952127.tif 000006
【図６】
0006952127.tif 000007
【図７】
0006952127.tif 000008
【図８】
0006952127.tif 000009